(57)【要約】【課題】塵埃で満杯になった紙袋をワンアクションで、集塵ボックスから廃棄することがことができる使い勝手の良い電気掃除機を提供する。【解決手段】塵埃を捕集する紙袋４３を装着するとともに集塵室（図示せず）内に着脱自在に設けられる集塵ボックス２９とを備え、集塵ボックス２９は、前記紙袋４３を覆う集塵ケース３０と、集塵ケース３０の下方を開閉自在に閉鎖する蓋体３２と、持ち運び用の把手部３１とから構成され、把手部３１の近傍に蓋体３２の閉状態を解除する操作ボタン３４を設けたもので、集塵ボックス２９から紙袋４３を捨てる際、把手部３１を握った手の指で近傍の操作ボタン３４を操作するだけで、蓋体３２が開き、紙袋４３が自重で下方に落下廃棄される。【選択図】図２
2005192831.tif 000002
【特許請求の範囲】
【請求項１】
集塵室と、電動送風機と、前記集塵室を開閉自在に覆う集塵蓋と、塵埃を捕集する紙袋を装着するとともに前記集塵室内に着脱自在に設けられる集塵ボックスとを備え、前記集塵ボックスは、前記紙袋を装着する集塵ケースと、前記集塵ケースの下方を開閉自在に閉鎖する蓋体と、持ち運び用の把手部とから構成され、前記把手部の近傍に前記蓋体の閉状態を解除する操作ボタンを設けた電気掃除機。
【請求項２】
紙袋と連通する連通口を集塵ケースの前壁側に形成し、前記連通口の上部に操作ボタン及び把手部を設けた請求項１記載の電気掃除機。
【請求項３】
把手部の端部に操作ボタンを設けた請求項１または２記載の電気掃除機。
【請求項４】
操作ボタン及び把手部を掃除機本体の長手方向に対して略直角方向に配列した請求項１〜３のいずれか１項に記載の電気掃除機。
【請求項５】
連通口を形成した集塵ケースの前壁を掃除機本体の長手方向に対して傾斜させた請求項２〜４のいずれか１項に記載の電気掃除機。
【請求項６】
紙袋の台紙を係止する断面略Ｌ字状のガイドリブを集塵ケースの前壁に形成し、前記前壁とそれに対向する前記ガイドリブの面との距離を、下方に向かうにつれて小さくなるようにテーパー部を形成した請求項１〜５のいずれか１項に記載の電気掃除機。
【請求項７】
集塵ケースの側壁及び後壁に通気用の開口を形成した請求項１〜６のいずれか１項に記載の電気掃除機。
【請求項８】
蓋体に、紙袋の台紙の下部を係止する位置決めリブを設けた請求項１〜７のいずれか１項に記載の電気掃除機。
【請求項９】
集塵ケースの下部開口縁側で、蓋体の略外周に立壁を形成した請求項１〜８のいずれか１項に記載の電気掃除機。
【請求項１０】
蓋体の上側に、紙袋を通過した空気を通気させる為のリブを形成した請求項１〜９のいずれか１項に記載の電気掃除機。
【発明の詳細な説明】
【技術分野】
【０００１】
本発明は、集塵ボックスを備えた電気掃除機に関するものである。
【背景技術】
【０００２】
従来の一般的な電気掃除機について、図１１、図１２を用いて説明する。
【０００３】
図１１、図１２において、電気掃除機の掃除機本体１の前方には、集塵用ホース（図示せず）を着脱自在に接続する吸気口２と、この吸気口２に連通する集塵室３が設けられている。集塵室３内部に紙袋４を装着するための集塵ボックス５が着脱自在に設けられ、この集塵ボックス５の後面６には、紙袋４を取出す為の、取出口７が形成されており、集塵ボックス５の前面８の上方には、集塵ボックス５を持運ぶ為の把手部９が形成されている。また把手部９の下面には、紙袋４を係止させるクランプ１０が設けられていた。
【０００４】
このような構成で、紙袋４に塵埃が一杯になり紙袋４を捨てる際、集塵ボックス５の後面６に形成した取出口７を床面側に傾かせ、把手部９から離れた位置にあるクランプ１０を解除して、集塵ボックス５から紙袋４を廃棄するようにしていた（例えば、特許文献１参照）。
【特許文献１】特開２０００―７０９１４号公報
【発明の開示】
【発明が解決しようとする課題】
【０００５】
しかしながら、前記従来の構成では、紙袋４が満杯になり紙袋４を捨てる際、紙袋４を係止しているクランプ１０が把手部９から離れた位置にあるため、クランプ１０を解除する動作が片手ではやりづらく面倒であった。また、紙袋４は、集塵ボックス５の後面６の取出口７から廃棄される為、集塵ボックス５を傾けてごみで満杯になった紙袋４を廃棄しなけれがならない為、手首にも負担がかかっていた。
【０００６】
本発明は上記従来の課題を解決するもので、集塵ボックスから紙袋を捨てる際、ワンアクションで簡単に紙袋を取出すことができ、しかも手首に負担をかけることがない、使い勝手の良い電気掃除機を提供することを目的としている。
【課題を解決するための手段】
【０００７】
前記従来の課題を解決するために、本発明の電気掃除機は、集塵室と、電動送風機と、前記集塵室を開閉自在に覆う集塵蓋と、塵埃を捕集する紙袋を装着するとともに前記集塵室内に着脱自在に設けられる集塵ボックスとを備え、前記集塵ボックスは、前記紙袋を装着する集塵ケースと、前記集塵ケースの下方を開閉自在に閉鎖する蓋体と、持ち運び用の把手部とから構成され、前記把手部の近傍に前記蓋体の閉状態を解除する操作ボタンを設けたもので、集塵ボックスから紙袋を捨てる際、把手部を握った手の指で操作ボタンを操作すれば、集塵ケースの下方に設けた蓋体が開き、集塵ボックスを傾けることもなくそのままの位置で、紙袋が自重で下方に落下廃棄され、ワンアクションで簡単に廃棄でき使い勝手を向上させることができる。
【発明の効果】
【０００８】
本発明の電気掃除機は、集塵ボックスから紙袋を捨てる作業を容易にし、使い勝手の良い電気掃除機を提供することができる。
【発明を実施するための最良の形態】
【０００９】
第１の発明は、集塵室と、電動送風機と、前記集塵室を開閉自在に覆う集塵蓋と、塵埃を捕集する紙袋を装着するとともに前記集塵室内に着脱自在に設けられる集塵ボックスとを備え、前記集塵ボックスは、前記紙袋を装着する集塵ケースと、前記集塵ケースの下方を開閉自在に閉鎖する蓋体と、持ち運び用の把手部とから構成され、前記把手部の近傍に前記蓋体の閉状態を解除する操作ボタンを設けたもので、集塵ボックスから紙袋を捨てる際、把手部を握った手の指で操作ボタンを操作すれば、集塵ケースの下方に設けた蓋体が開き、集塵ボックスを傾けることもなくそのままの位置で、紙袋が自重で下方に落下廃棄され、ワンアクションで簡単に廃棄でき使い勝手を向上させることができる。
【００１０】
第２の発明は、特に、第１の発明の紙袋と連通する連通口を集塵ケースの前壁側に形成し、前記連通口の上部に操作ボタン及び把手部を設けたもので、紙袋が満杯になっても紙袋の膨らみを損なわせることがなくなり、集塵室内を有効活用することができ、さらに、集塵ボックスから紙袋を捨てる際、把手部を握った片手で操作ボタンを操作することが容易となり使い勝手が向上する。
【００１１】
第３の発明は、特に、第１又は第２の発明の把手部の端部に操作ボタンを設けたもので、操作ボタンを不用意に触れ、蓋体が不用意に開くことを防止し使い勝手が向上する。
【００１２】
第４の発明は、特に、第１〜３のいずれか１つの発明の操作ボタン及び把手部を掃除機本体の長手方向に対して略直角方向に配列したもので、掃除機本体の長手方向の全長を短くでき、ひいては掃除機本体の小型化に寄与できる。
【００１３】
第５の発明は、特に、第２〜４のいずれか１つの発明の連通口を形成した集塵ケースの前壁を掃除機本体の長手方向に対して傾斜させたもので、紙袋を、集塵ボックスにセットする際、傾斜が誘いとなり紙袋の装着が容易となる。
【００１４】
第６の発明は、特に、第１〜５のいずれか１つの発明の紙袋の台紙を係止する断面略Ｌ字状のガイドリブを集塵ケースの前壁に形成し、前記前壁とそれに対向する前記ガイドリブの面との距離を、下方に向かうにつれて小さくなるようにテーパー部を形成したもので、紙袋を集塵ボックスにセットする際、テーパー部が誘いとなりより確実で紙袋の装着が容易となる。
【００１５】
第７の発明は、特に、第１〜６のいずれか１つの発明の集塵ケースの側壁及び後壁に通気用の開口を形成したもので、紙袋から流れる出る空気が、側壁、後壁と広く連通していく為、吸込み性能の低下を防止する。
【００１６】
第８の発明は、特に、第１〜７のいずれか１つの発明の蓋体に、紙袋の台紙の下部を係止する位置決めリブを設けたもので、紙袋の台紙を係止させる略Ｌ字状のガイドリブ及び、位置決めリブの形状が簡単にでき金型上廉価な構成で紙袋の台紙を保持させることが可能となる。
【００１７】
第９の発明は、特に、第１〜８のいずれか１つの発明の集塵ケースの下部開口縁側で、蓋体の略外周に立壁を形成したもので、紙袋を通り抜けた微細な塵埃が立壁の内方に溜まって外に飛び散る事がなく、また、集塵ボックスから紙袋を捨てる際に、操作ボタンを操作して蓋体を開けると、紙袋と一緒に上記微細な塵埃も廃棄され、集塵ケース内を常に清潔に保つことができる。
【００１８】
第１０の発明は、特に、第１〜９のいずれか１つの発明の蓋体の上側に、紙袋を通過した空気を通気させる為のリブを形成したもので、紙袋を通過した後の空気の通路を確保し、紙袋が集塵ケースの壁にへばりついて吸引性能が低下することがない。
【００１９】
以下、本発明の実施の形態について、図面を参照しながら説明する。なお、この実施の形態によりこの発明が限定されるものではない。
【００２０】
（実施の形態１）
図１は、本発明の第１の実施の形態における電気掃除機の全体斜視図であり、図２は、その同掃除機本体の断面図であり、図３は、掃除機本体から集塵ボックスを取外した時の動作図である。図４は、同掃除機本体の集塵ボックスの正面図。図５は、同集塵ボックスの破断側面図である。図６は、集塵ボックスの蓋体が開口したとき動作図である。図７は、掃除機本体の集塵室の部分断面平面図。図８は、図４のＢ−Ｂ断面である。図９は、集塵ボックスに紙袋を装着する時の動作図。図１０は、集塵ボックスを後方から見た部分断面背面図である。
【００２１】
図１において、掃除機本体１２は、手元ハンドル１３とホース継ぎ手１４付きのホース１５とを介して延長管１６を連結し、延長管１６に取り付けられ塵埃を吸引する吸込具１７に連通している。また、掃除機本体１２は、枢支された１個の前輪キャスター１８と一対の後輪１９とを備えている。
【００２２】
この掃除機本体１２は、図２に示すように、下本体２０と上本体２１とで外郭を構成している。この掃除機本体１２の後方側に電動送風機２２が配設されており、電動送風機２２は、吸引風を発するもので、前方を第１サポートゴム２３で支持し、後方を第２サポートゴム２４を介して第１モーターカバー２５と第２モーターカバー２６により支持して、下本体２０に装着し固定するようにしている。
【００２３】
掃除機本体１２の前方側には、集塵室２７が形成され、集塵室２７上方には、この集塵室２７を開閉自在に覆う集塵蓋２８を有している。
【００２４】
図３で示すように、集塵蓋２８を開くことより、集塵室２７内に配設された、集塵ボックス２９は、集塵室２７内から取出すことが可能となり、集塵室２７内に着脱自在に設けられている。
【００２５】
図４〜図６で示すように、集塵ボックス２９を構成する集塵ケース３０は、上方及び下方が開放された略箱状に形成され、集塵ケース３０のホース継ぎ手１４側、つまり前方側で上方に集塵ボックス２９を持運ぶ把手部３１が設けられている。
【００２６】
集塵ケース３０の下方には、蓋体３２を有しており、集塵ケース３０の後方下部に形成された回動軸３３を支軸として集塵ケース３０の下方開放部を開閉自在に閉鎖している。前記把手部３１の近傍には、蓋体３２を開口操作するロック機構を有する操作ボタン３４が設けられており、図４で示すように、この操作ボタン３４の下部側にはスプリング３５が設けられ操作ボタン３４が上方に移動するよう附勢されている。
【００２７】
また、操作ボタン３４の一端に操作棒３６が連結されており、この操作棒３６の他端は、蓋体３２を開閉するとともに回動自在の尾錠３７に連動するように配している。前記尾錠３７は、図５で示すように、バネ３８により蓋体３２を閉じる状態に維持する方向に附勢され、一端に蓋体３２の保持部３９と他端にレバー部４０を有している。
【００２８】
４１はフロントカバーで、把手部３１を構成するとともに、操作ボタン３４、操作棒３６及び、尾錠３７等を覆うように前面よりビス４１ａで固定されている。図６に示すように、操作ボタン３４を下方に押すと、操作ボタン３４と連動している操作棒３６の一端部４２が、尾錠３７のレバー部４０を押付け、尾錠３７がＡ方向に回動し、蓋体３２を係止している保持部３９が移動し、蓋体３２の閉状態が解除され、回動軸３３を支点に自重で回動する。
【００２９】
図４、図５及び、図７において、集塵ケース３０の前方で、把手部３１の下方に、紙袋４３の台紙４４を係止するクランプ４５が配設されており、クランプ４５は、集塵ケース３０から突出形成された一対の軸４６によって回動自在に取付けられ、コイルバネ４７によって、紙袋４３の台紙４４を挟持する方向に常時付勢されている。４８は、紙袋４３の台紙４４の両端を保持する略Ｌ字状で、上方、下方がともに開口されたガイドリブである。
【００３０】
また、図５において集塵ケース３０のホース継ぎ手１４側、つまり前方側の前壁４９と紙袋４３の台紙４４とをタイトする略円弧状シールパッキン５０が形成され、シールパッキン５０の内周は、紙袋４３と、ホース継ぎ手１４が連通する連通口５１が形成されている。
【００３１】
以上のように構成された集塵ボックス２９について、以下その動作、作用を説明する。
【００３２】
図６において、紙袋が満杯になり集塵ボックス２９から紙袋４３を捨てる際、集塵ボックス２９に形成された把手部３１を握り、持ち上げて集塵室２７から取出す。取出したそのままの状態で、把手部３１を握った手の指で操作ボタン３４を下方に押すと、蓋体３２が開き、紙袋４３は、紙袋４３の台紙４４の両端を保持する略Ｌ字状のガイドリブ４８に沿って自重ですべり落ち自然落下する。
【００３３】
以上のように、集塵ボックス２９を傾けることもなく、片手のワンアクションで簡単に廃棄作業ができる為、使い勝手が向上する。
【００３４】
また、図５に示すように、集塵ケース３０の前壁４９に形成した連通口５１の上部に、蓋体３２を開操作する操作ボタン３４及び、把手部３１が配設されているので、紙袋４３が満杯になっても紙袋４３の膨らみを操作ボタン３４及び、把手部３１で損なわせることなく、集塵室２７内を最大限活用することができることが可能となり集塵容積を大きくすることができる。
【００３５】
さらに、把手部３１と操作ボタン３４が互いに近傍に位置しているので、把手部３１を握った片手で操作ボタン３４も操作することが容易となり使い勝手が向上する。
【００３６】
また、図４に示すように、把手部３１の端部５２に、蓋体３２を開口操作する操作ボタン３４が配設されているので、操作ボタン３４を不用意に押して蓋体３２が開くことがなく、塵埃のこぼれ、散乱等を防止できる。
【００３７】
また、本実施の形態では、図８に示すように、蓋体３２の開口操作をする操作ボタン３４、操作ボタン３４の一端と連結されている操作棒３６、蓋体３２を開閉する尾錠３７及び集塵ボックス２９を持運ぶ把手部３１を掃除機本体１２の長手方向に対してＣラインのように略直角方向に配列されている。これにより、集塵ボックス２９の長手方向の全長を短くすることが可能となり無駄な空間をなくし、ひいては掃除機本体１２の小型化ができる。
【００３８】
また、図５に示すように、集塵ケース３０の前壁４９を、掃除機本体１２の長手方向に対し前方側に傾斜させている。これにより図９に示すように、紙袋４３を、集塵ボックス２９にセットする際、傾斜した部分５３が、紙袋４３の台紙４４を誘い紙袋４３の装着が容易となる。
【００３９】
また、図７、図９に示すように、集塵ケース３０の前壁４９に形成され、紙袋４３の台紙４４の両端を保持する略Ｌ字状で、上方下方が開口されたガイドリブ４８において、前記前壁４９とガイドリブ４８が互いに対向する面５４の間の距離を、下方に向かうにつれて小さくなるようテーパー部５５が形成されている。これにより、紙袋４３を、集塵ボックス２９にセットする際、ガイドリブ４８の上方が大きく開口されることとなり、紙袋４３の装着が容易となる。また、紙袋４３を深く装着するにつれ、ガイドリブ４８の下方が狭くなり、紙袋４３のガタを抑えることができ、紙袋４３の台紙４４の保持力を向上させることができる。
【００４０】
また、図５、図１０に示すように、集塵ケース３０の側壁５６及び、後壁５７に複数個の通気用の開口５８が形成されている。これによって、紙袋４３を通過する空気が、側壁５６、後壁５７側を通り電動送風機２２へと連通する。この時、紙袋４３から流れる空気は、塵埃とともに、側壁５６、後壁５７側と広く貯めることが可能となり、吸込み性能の低下を防止することができる。
【００４１】
また、図５に示すように、紙袋４３の台紙４４の保持構成は、紙袋４３の台紙４４の上方側は、クランプ４５で係止されており、台紙４４の下方側を保持する手段として、集塵ケース３０の下方を開閉自在に閉鎖する蓋体３２に、紙袋４３の台紙４４の下面を係止させる簡単な立壁のような位置決めリブ５９が設けられている。これによって、紙袋４３の台紙４４を保持させる略Ｌ字状のガイドリブ４８及び、位置決めリブ５９の形状を複雑にすることなく金型上廉価な構成で紙袋４３の台紙４４を係止させることができる。
【００４２】
さらに、図４〜図６に示すように、集塵ケース３０の下部開口縁６０側で、集塵ケース３０の下方を開閉自在に閉鎖する蓋体３２の略外周に上方に突出する立壁６１が形成されている。これによって、紙袋４３を通り抜けた微細な塵埃が、自重で落下し集塵ケース３０の下部の立壁６１の内側に溜まり、外部に分散するのを防止することができる。集塵ケース３０の下部に溜まった塵埃は、集塵ボックス２９から紙袋４３を捨てる際、操作ボタン３４を操作すれば、蓋体３２が開き、紙袋４３と同時に微細な塵埃を廃棄がすることができるので、集塵ケース３０内を清潔に保つことができる。
【００４３】
さらに、図５、図１０に示すように、集塵ケース３０の下方を開閉自在に閉鎖する蓋体３２の上側に、紙袋４３から漏れる空気を通気させる為の、複数個のリブ６２が設けられている。これによって紙袋４３が蓋体３２の底面にへばりついて空気の流れを損なわすことがなく、紙袋４３から流れ出る空気の通路を確保し、吸込み性能の低下を防止することができる。
【産業上の利用可能性】
【００４４】
以上のように、本発明にかかる電気掃除機は、紙袋をワンアクションで集塵ボックスから簡単に取出すことができ使い勝手が良いもので、使い捨てのフイルター、容器などを取り付ける部材を搭載した各種機器，装置にも適用できるものである。
【図面の簡単な説明】
【００４５】
【図１】本発明の実施の形態１における電気掃除機の全体斜視図
【図２】同電気掃除機の掃除機本体の断面図
【図３】同掃除機本体から集塵ボックスを取外した時の動作図
【図４】同集塵ボックスの正面図
【図５】同集塵ボックスの破断側面図
【図６】同集塵ボックスの蓋体が開口した時の動作図
【図７】同掃除機本体の集塵室の部分断面平面図
【図８】図４のＢ-Ｂ断面図
【図９】同集塵ボックスに紙袋を装着する時の動作図
【図１０】同集塵ボックスを後方から見た部分断面背面図
【図１１】従来の電気掃除機の断面側面図
【図１２】同電気掃除機の集塵ボックスを示した破断側面図
【符号の説明】
【００４６】
１２  掃除機本体
２２  電動送風機
２７  集塵室
２８  集塵蓋
２９  集塵ボックス
３０  集塵ケース
３１  把手部
３２  蓋体
３４  操作ボタン
４３  紙袋
４４  台紙
４８  ガイドリブ
４９  前壁
５１  連通口
５２  端部
５４  対抗する面
５５  テーパー部
５６  側壁
５７  後壁
５８  開口
５９  位置決めリブ
６０  下部開口縁
６１  立壁
６２  リブ
【図１】
2005192831.tif 000003
【図２】
2005192831.tif 000004
【図３】
2005192831.tif 000005
【図４】
2005192831.tif 000006
【図５】
2005192831.tif 000007
【図６】
2005192831.tif 000008
【図７】
2005192831.tif 000009
【図８】
2005192831.tif 000010
【図９】
2005192831.tif 000011
【図１０】
2005192831.tif 000012
【図１１】
2005192831.tif 000013
【図１２】
2005192831.tif 000014